【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
オーディオ信号を入力する入力手段と、
前記入力手段によって入力されたオーディオ信号に第１の補間処理を施し第１の補間オーディオ信号を生成する第１の補間処理手段と、
前記入力手段によって入力されたオーディオ信号に第２の補間処理を施し第２の補間オーディオ信号を生成する第２の補間処理手段と、
前記入力手段によって入力されたオーディオ信号に予め定められたオフセット信号を加算する加算手段と、
前記加算手段によりオフセット信号が加算されたオーディオ信号から高域信号を検出する高域信号検出手段と、
前記高域信号検出手段の検出結果に応じて、前記第１の補間オーディオ信号と前記第２の補間オーディオ信号とを切り換えて出力する出力手段と
を備えることを特徴とするオーディオ信号出力装置。
【請求項２】
記録媒体に記録されたオーディオ信号を再生する再生手段と、
前記再生手段によって再生されたオーディオ信号に第１の補間処理を施し第１の補間オーディオ信号を生成する第１の補間処理手段と、
前記再生手段によって再生されたオーディオ信号に第２の補間処理を施し第２の補間オーディオ信号を生成する第２の補間処理手段と、
前記再生手段によって再生されたオーディオ信号に予め定められたオフセット信号を加算する加算手段と、
前記加算手段によりオフセット信号が加算されたオーディオ信号から高域信号を検出する高域信号検出手段と、
前記高域信号検出手段の検出結果に応じて、前記第１の補間オーディオ信号と前記第２の補間オーディオ信号とを切り換えて出力する出力手段と
を備えることを特徴とするオーディオ信号出力装置。
【請求項３】
オーディオ信号を入力する入力手段と、
前記入力手段によって入力されたオーディオ信号に補間処理を施す補間処理手段と、
前記補間処理手段が第１の補間処理を行うための第１の補間係数を記憶する第１の記憶手段と、
前記補間処理手段が第２の補間処理を行うための第２の補間係数を記憶する第２の記憶手段と、
前記入力手段によって入力されたオーディオ信号に予め定められたオフセット信号を加算する加算手段と、
前記加算手段によりオフセット信号が加算されたオーディオ信号から高域信号を検出する高域信号検出手段と、
前記高域信号検出手段の検出結果に応じて、前記補間処理手段の補間処理に用いる係数を前記第１の補間係数と前記第２の補間係数とで切り換える切換手段と、
前記切換手段によって切り換えられた補間係数で前記補間処理手段が補間処理を施した補間オーディオ信号を出力する出力手段と
を備えることを特徴とするオーディオ信号出力装置。
【請求項４】
記録媒体に記録されたオーディオ信号を再生する再生手段と、
前記再生手段によって再生されたオーディオ信号に補間処理を施す補間処理手段と、
前記補間処理手段が第１の補間処理を行うための第１の補間係数を記憶する第１の記憶手段と、
前記補間処理手段が第２の補間処理を行うための第２の補間係数を記憶する第２の記憶手段と、
前記再生手段によって再生されたオーディオ信号に予め定められたオフセット信号を加算する加算手段と、
前記加算手段によりオフセット信号が加算されたオーディオ信号から高域信号を検出する高域信号検出手段と、
前記高域信号検出手段の検出結果に応じて、前記補間処理手段の補間処理に用いる係数を前記第１の補間係数と前記第２の補間係数とで切り換える切換手段と、
前記切換手段によって切り換えられた補間係数で前記補間処理手段が補間処理を施した補間オーディオ信号を出力する出力手段と
を備えることを特徴とするオーディオ信号出力装置。
【手続補正２】
【補正対象書類名】明細書
【補正対象項目名】００１４
【補正方法】変更
【補正の内容】
【００１４】
本発明に係るオーディオ信号出力装置は、オーディオ信号を入力する入力手段と、前記入力手段によって入力されたオーディオ信号に第１の補間処理を施し第１の補間オーディオ信号を生成する第１の補間処理手段と、前記入力手段によって入力されたオーディオ信号に第２の補間処理を施し第２の補間オーディオ信号を生成する第２の補間処理手段と、前記入力手段によって入力されたオーディオ信号に予め定められたオフセット信号を加算する加算手段と、前記加算手段によりオフセット信号が加算されたオーディオ信号から高域信号を検出する高域信号検出手段と、前記高域信号検出手段の検出結果に応じて、前記第１の補間オーディオ信号と前記第２の補間オーディオ信号とを切り換えて出力する出力手段とを備える。
【手続補正３】
【補正対象書類名】明細書
【補正対象項目名】００１５
【補正方法】変更
【補正の内容】
【００１５】
また、本発明に係るオーディオ信号出力装置は、記録媒体に記録されたオーディオ信号を再生する再生手段と、前記再生手段によって再生されたオーディオ信号に第１の補間処理を施し第１の補間オーディオ信号を生成する第１の補間処理手段と、前記再生手段によって再生されたオーディオ信号に第２の補間処理を施し第２の補間オーディオ信号を生成する第２の補間処理手段と、前記再生手段によって再生されたオーディオ信号に予め定められたオフセット信号を加算する加算手段と、前記加算手段によりオフセット信号が加算されたオーディオ信号から高域信号を検出する高域信号検出手段と、前記高域信号検出手段の検出結果に応じて、前記第１の補間オーディオ信号と前記第２の補間オーディオ信号とを切り換えて出力する出力手段とを備える。
【手続補正４】
【補正対象書類名】明細書
【補正対象項目名】００１６
【補正方法】変更
【補正の内容】
【００１６】
また、本発明に係るオーディオ信号出力装置は、オーディオ信号を入力する入力手段と、前記入力手段によって入力されたオーディオ信号に補間処理を施す補間処理手段と、前記補間処理手段が第１の補間処理を行うための第１の補間係数を記憶する第１の記憶手段と、前記補間処理手段が第２の補間処理を行うための第２の補間係数を記憶する第２の記憶手段と、前記入力手段によって入力されたオーディオ信号に予め定められたオフセット信号を加算する加算手段と、前記加算手段によりオフセット信号が加算されたオーディオ信号から高域信号を検出する高域信号検出手段と、前記高域信号検出手段の検出結果に応じて、前記補間処理手段の補間処理に用いる係数を前記第１の補間係数と前記第２の補間係数とで切り換える切換手段と、前記切換手段によって切り換えられた補間係数で前記補間処理手段が補間処理を施した補間オーディオ信号を出力する出力手段とを備える。
【手続補正５】
【補正対象書類名】明細書
【補正対象項目名】００１７
【補正方法】変更
【補正の内容】
【００１７】
また、本発明に係るオーディオ信号出力装置は、記録媒体に記録されたオーディオ信号を再生する再生手段と、前記再生手段によって再生されたオーディオ信号に補間処理を施す補間処理手段と、前記補間処理手段が第１の補間処理を行うための第１の補間係数を記憶する第１の記憶手段と、前記補間処理手段が第２の補間処理を行うための第２の補間係数を記憶する第２の記憶手段と、前記再生手段によって再生されたオーディオ信号に予め定められたオフセット信号を加算する加算手段と、前記加算手段によりオフセット信号が加算されたオーディオ信号から高域信号を検出する高域信号検出手段と、前記高域信号検出手段の検出結果に応じて、前記補間処理手段の補間処理に用いる係数を前記第１の補間係数と前記第２の補間係数とで切り換える切換手段と、前記切換手段によって切り換えられた補間係数で前記補間処理手段が補間処理を施した補間オーディオ信号を出力する出力手段とを備える。
【手続補正６】
【補正対象書類名】明細書
【補正対象項目名】００１８
【補正方法】変更
【補正の内容】
【００１８】
本発明のオーディオ信号出力装置によれば、オーディオ信号が高域であることを検出して第１の補間オーディオ信号と第２の補間オーディオ信号とを切り換えを行う際、高域ノイズの混入による高域信号の検出誤りを防止することができる。
【手続補正７】
【補正対象書類名】明細書
【補正対象項目名】００２３
【補正方法】変更
【補正の内容】
【００２３】
再生部６は、CDやDVD等のディスクに記録されたデジタルオーディオ信号を読み取る。再生部６により読み取られたデジタルオーディオ信号は、DSP２及びフィルタ回路３によって所定の信号処理が施され、出力部４によりアナログオーディオ信号に変換され、図示しないスピーカ等から出力される。